(57)【要約】【課題】  部品点数が少なく、構造が簡単で組み立て易く、制作費用が安い球体排出具を提供する。【解決手段】  球体排出具１は、球体ａを排出する排出口６と、球体ａを排出口６に案内する案内路７と、球体ａの排出口６側への移動を阻止するストッパー片１１と、ストッパー片１１を非突出位置に移動させる操作片２１とを有する。ストッパー片１１は、前部１３に係止部１５が形成され、後部１６が弾性部を構成している。操作片２１は、当接部２３と係合部２５が設けられ、当接部２３がストッパー片１１の後部１６を押圧すると係合部２５が突出して次の球体ａ１の排出口６側への移動を阻止し、ストッパー片１１の係止部１５を突出位置から非突出位置に移動させて球体ａを排出口６側へ移動させることができる。【選択図】図３
2015167565.tif 000002
【特許請求の範囲】
【請求項１】
球体を内部に収容する収容本体と、
収容本体に形成され、内部に収容した球体を外部に排出する排出口と、
収容本体内に設けられ、球体を排出口に案内する案内路と、
案内路に突出して球体の排出口側への移動を阻止するストッパー片と、
前記ストッパー片を非突出位置に移動させ、球体の排出口側への移動を可能にする操作片とを有し、
前記ストッパー片は、中間部が収容本体に枢支され、前部に球体を係止する係止部が形成され、後部が係止部を突出位置方向に付勢する弾性部を構成し、
前記操作片は、収容本体に枢支され、前記ストッパー片の後部に当接可能な当接部と、前記ストッパー片の係止部に係止された球体と次の球体の間に突出する係合部が設けられ、前記当接部が前記ストッパー片の後部を押圧していない時には係合部が非突出位置に移動しており、前記当接部が前記ストッパー片の後部を素材の弾性に抗して押圧する時には係合部が前記ストッパー片の係止部に係止された球体と次の球体の間に突出して次の球体の排出口側への移動を阻止する一方、ストッパー片の係止部を突出位置から非突出位置に移動させ、係止部に係止されていた球体を排出口側へ移動可能とすることができることを特徴とする球体排出具。
【請求項２】
収容本体の一側には、球体を外部から内部に挿入可能な開口が形成されており、開口には球体の内部から外部への通過を阻止する逆止片が形成されていることを特徴とする請求項１記載の球体排出具。
【請求項３】
請求項１又は２に記載の球体排出具と、球体を貯留するカセットケースを有し、
前記球体排出具は、第１の連結部と、第１の連結部に形成され、球体を外部から内部に収容する収容口と、球体の収容口の通過を阻止する第１の阻止片と、第１の阻止片解除部が形成され、
前記カセットケースは、前記球体排出具の第１の連結部に連結される第２の連結部と、第２の連結部に形成され、球体を内部から外部に供給する供給口と、球体の供給口の通過を阻止する第２の阻止片と、第２の阻止片解除部が形成され、
前記球体排出具と前記カセットケースは、第１の連結部と第２の連結部を連結すると、前記球体排出具の収容口と前記カセットケースの供給口が接続され、球体排出具の第１の阻止片解除部がカセットケースの第２の阻止片を解除してカセットケースの供給口の球体の通過を可能とし、カセットケースの第２の阻止片解除部が球体排出具の第１の阻止片を解除して球体排出具の収容口の球体の通過を可能とし、カセットケース内の球体を球体排出具内に供給することができることを特徴とする球体排出装置。
【発明の詳細な説明】
【技術分野】
【０００１】
本発明は、本体内部に収容した球体を排出口から１個ずつ取り出すことができる球体排出具及び球体排出具とカセットケースからなる球体排出装置に関する。
【背景技術】
【０００２】
従来、いろいろな色に着色されたビーズ等の小球体を接着させて絵模様を作成するビーズ玩具が存在する。このビーズ玩具は、小さなビーズを一つずつ指先で摘んで接続していくので、手先がまだ器用でない子ども、例えば幼児にとって極めて難しかった。そこで、押圧操作のみの単純操作で、本体内部に収容したビーズを排出口から１個ずつ取り出すことができる球体排出具が提案されている。
【０００３】
この従来の球体排出具は、本体内部に収容したビーズ等の小球体を排出口から１個ずつ取り出すことができる。球体排出具は、小球体を内部に収容する収容本体と、収容本体に形成され、内部に収容した小球体を外部に排出する排出口と、収容本体内に設けられ、小球体を排出口に案内する案内路と、案内路に案内される小球体の排出口側への移動を阻止する位置と阻止しない位置に移動可能なストッパー片と、ストッパー片によって移動が阻止された小球体の次の小球体の移動を阻止する位置と阻止しない位置に移動可能な仕切り片と、ストッパー片を阻止する位置から阻止しない位置に移動させて小球体を排出口から排出すると共に仕切り片を阻止しない位置から阻止する位置に移動させて次の小球体が連続して排出口から出ないようにする操作片と、操作片を初期状態に付勢するバネ部材とからなっている。また、従来の球体排出具は、本体後端に小球体を収容する収容口が形成され、この収容口から小球体が出ないように蓋が被せられ、蓋を外して収容口から本体内に小球体を補充することができるようになっている（特許文献１）。
【先行技術文献】
【特許文献】
【０００４】
【特許文献１】特開２００９−１０６６６９号公報
【発明の概要】
【発明が解決しようとする課題】
【０００５】
従来の球体排出具は、案内路に案内される小球体の排出口側への移動を阻止するストッパー片と、ストッパー片によって移動が阻止された小球体の次の小球体の移動を阻止する仕切り片と、ストッパー片と仕切り片を略同時に移動させる操作片と、操作片を初期状態に付勢するバネ部材とからなる。このように、従来の球体排出具は、部品点数が多く、構造が複雑で組み立て難く、制作費用が高いという問題点があった。また、従来の球体排出具は、本体内に小球体を補充する場合、本体内に残った小球体が収容口から飛び出ないように、収容口を上に向けながら蓋を外し、収容口を上に向けた状態で小球体を収容口に入れるので、収容時に小球体を周りにこぼしてしまう恐れがあり、小球体の収容作業が面倒であるという問題点があった。
【０００６】
本願発明は、上記問題点に鑑み案出したものであって、部品点数が少なく、構造が簡単で組み立て易く、制作費用が安い球体排出具を提供することを第１の目的とする。また、上記球体排出具に球体を確実に供給することができるカセットケースを備えた球体排出装置を提供することを第２の目的とする。
【課題を解決するための手段】
【０００７】
本願請求項１に係る球体排出具は、上記第１の目的を達成するため、球体を内部に収容する収容本体と、収容本体に形成され、内部に収容した球体を外部に排出する排出口と、収容本体内に設けられ、球体を排出口に案内する案内路と、案内路に突出して球体の排出口側への移動を阻止するストッパー片と、前記ストッパー片を非突出位置に移動させ、球体の排出口側への移動を可能にする操作片とを有し、前記ストッパー片は、中間部が収容本体に枢支され、前部に球体を係止する係止部が形成され、後部が係止部を突出位置方向に付勢する弾性部を構成し、前記操作片は、収容本体に枢支され、前記ストッパー片の後部に当接可能な当接部と、前記ストッパー片の係止部に係止された球体と次の球体の間に突出する係合部が設けられ、前記当接部が前記ストッパー片の後部を押圧していない時には係合部が非突出位置に移動しており、前記当接部が前記ストッパー片の後部を素材の弾性に抗して押圧する時には係合部が前記ストッパー片の係止部に係止された球体と次の球体の間に突出して次の球体の排出口側への移動を阻止する一方、ストッパー片の係止部を突出位置から非突出位置に移動させ、係止部に係止されていた球体を排出口側へ移動可能とすることができることを特徴とする。
【０００８】
本願請求項２に係る球体排出具は、上記第１の目的を達成するため、収容本体の一側には、球体を外部から内部に挿入可能な開口が形成されており、開口には球体の内部から外部への通過を阻止する逆止片が形成されていることを特徴とする。
【０００９】
本願請求項３に係る球体排出装置は、上記第２の目的を達成するため、前記球体排出具と、球体を貯留するカセットケースを有し、前記球体排出具は、第１の連結部と、第１の連結部に形成され、球体を外部から内部に収容する収容口と、球体の収容口の通過を阻止する第１の阻止片と、第１の阻止片解除部が形成され、前記カセットケースは、前記球体排出具の第１の連結部に連結される第２の連結部と、第２の連結部に形成され、球体を内部から外部に供給する供給口と、球体の供給口の通過を阻止する第２の阻止片と、第２の阻止片解除部が形成され、前記球体排出具と前記カセットケースは、第１の連結部と第２の連結部を連結すると、前記球体排出具の収容口と前記カセットケースの供給口が接続され、球体排出具の第１の阻止片解除部がカセットケースの第２の阻止片を解除してカセットケースの供給口の球体の通過を可能とし、カセットケースの第２の阻止片解除部が球体排出具の第１の阻止片を解除して球体排出具の収容口の球体の通過を可能とし、カセットケース内の球体を球体排出具内に供給することができることを特徴とする。
【発明の効果】
【００１０】
本願発明に係る球体排出具は、初期状態において、収容本体の内部に収容された球体が排出口に向かって連続して案内路に案内されるが、ストッパー片の係止部が後部の素材の弾性により案内路の突出位置に突出しており、連続する球体の先頭の球体がストッパー片の係止部によって排出口側への移動が阻止されている。また、操作片の係合部が案内路の非突出位置にあり、先頭の球体と連続する次の球体が同時に移動可能となっている。操作片を操作すると、当接部が素材の弾性に抗してストッパー片の後部を押圧して、係止部が非突出位置に移動して、係止部に係止されていた先頭の球体が排出口側へ移動可能となる。また、操作片を操作すると、係合部が前記ストッパー片の係止部に係止された先頭の球体と次の球体の間に突出して次の球体の排出口側への移動を阻止するので、先頭の一つの球体のみが排出される。操作片の操作を解除すると、当接部がストッパー片の後部を押圧しなくなるので、後部の素材の弾性により、ストッパー片の係止部が案内路の突出位置に突出し、排出された球体の次の球体をストッパー片の係止部が係止して排出口側への移動を阻止する。また、素材の弾性により、係合部が案内路の非突出位置に移動し、係止部に係止された球体と連続する次の球体が同時に移動可能となる。このように、操作片の操作を解除すると、球体排出具は、初期状態に戻る。本願発明に係る球体排出具は、この球体排出動作がストッパー片と操作片によって可能なので、部品点数が少なく、構造が簡単で組み立て易く、制作費用が安いという効果がある。
【００１１】
本願発明に係る球体排出具は、上記効果に加え、収容本体の一側に、球体を外部から内部に挿入可能な開口が形成されており、開口には内部から外部への球体の通過を阻止する逆止片が形成されているので、収容本体内の球体が開口から外部に飛び出る恐れが少ない一方、開口から球体を簡単に収容本体内に取り込むことができるという効果がある。
【００１２】
本願発明に係る球体排出装置は、上記効果を有する球体排出具と、球体を貯留するカセットケースを有している。球体排出具は、第１の連結部と、第１の連結部に形成され、球体を外部から内部に収容する収容口と、球体の収容口の通過を阻止する第１の阻止片と、第１の阻止解除部が形成されている。球体排出具は、第１の阻止片により、収容口を介して球体を外部から内部及び内部から外部に通過させることができない。カセットケースは、球体排出具の第１の連結部に連結される第２の連結部と、第２の連結部に形成され、球体を内部から外部に供給する供給口と、球体の供給口の通過を阻止する第２の阻止片と、第２の阻止解除部が形成されている。カセットケースは、第２の阻止片により、供給口を介して球体を外部から内部及び内部から外部に通過させることができない。本願発明に係る球体排出装置は、球体排出具をカセットケースに接続すると、球体排出具の第１の連結部とカセットケースの第２の連結部が連結し、球体排出具の収容口とカセットケースの供給口が接続される。球体排出具の第１の阻止解除部がカセットケースの第２の阻止片を解除してカセットケースの供給口の球体の通過を可能とし、カセットケースの第２の阻止解除部が球体排出具の第１の阻止片を解除して球体排出具の収容口の球体の通過を可能とする。従って球体排出装置は、球体排出具とカセットケースを連結すると、カセットケース内の多数の球体を供給口及び収容口を介して球体排出具内に簡単に供給することができ、一つ一つ球体を球体排出具内に入れる手間を省くことができ、しかも球体が外にこぼれ出ることがないので収容作業が極めて容易であるという効果がある。
【図面の簡単な説明】
【００１３】
【図１】本願発明に係る球体排出装置の一つの実施の形態を示す全体断面図である。
【図２】本願発明に係る球体排出具の一つの実施の形態を説明する説明図であって、（ａ）が上面図、（ｂ）が正面図、（ｃ）が下面図、（ｄ）左側面図、（ｅ）が右側面図である。
【図３】図２の球体排出具の断面図である。
【図４】図２の球体排出具の部品図であって、（ａ）が操作片の部品図、（ｂ）がストッパー片の部品図、（ｃ）が阻止片の部品図である。
【図５】図２の球体排出具の動きを説明する断面図である。
【図６】本願発明に係るカセットケースの一つの実施の形態を説明する説明図であって、（ａ）が正面図、（ｂ）が下面図、（ｃ）が背面図、（ｄ）左側面図、（ｅ）が右側面図である。
【図７】図６のカセットケースの断面図である。
【図８】図２の球体排出具と図６のカセットケースの連結要部断面図である。
【図９】図１の球体排出装置の分解斜視図である。
【図１０】図２の球体排出具の右ケースの斜視図である。
【図１１】図２の球体排出具の左ケースの斜視図である。
【図１２】図４（ａ）の操作片の斜視図である。
【図１３】図４（ｂ）のストッパー片の斜視図である。
【図１４】図４（ｃ）の阻止片の斜視図である。
【図１５】図６のカセットケースの右ケース枠の斜視図である。
【図１６】図６のカセットケースの左蓋枠の斜視図である。
【発明を実施するための形態】
【００１４】
本願発明に係る球体排出具の概要について説明する。球体排出具１は、図３に示すように、球体ａを内部に収容する収容本体２と、収容本体２に形成され、内部に収容した球体ａを外部に排出する排出口６と、収容本体２内に設けられ、球体ａを排出口６に案内する案内路７と、案内路７に設けられ、素材の弾性により案内路７に突出して球体ａの排出口６側への移動を阻止するストッパー片１１と、前記ストッパー片１１を素材の弾性に抗して非突出位置に移動させ、球体ａの排出口６側への移動を可能にする操作片２１とを有する。
【００１５】
前記ストッパー片１１は、中間部が収容本体２に枢支され、前部１３に球体ａを係止する係止部１５が形成され、後部１６が係止部１５を突出位置方向に付勢する弾性部を構成している。前記操作片２１は、収容本体２に枢支され、前記ストッパー片１１の後部１６に当接可能な当接部２３と、前記ストッパー片１１の係止部１５に係止された球体ａと次の球体ａ１の間に突出する係合部２５が設けられている。前記操作片２１は、前記当接部２３が前記ストッパー片１１の後部１６を押圧していない時には係合部２５が非突出位置にある。操作片２１は、図５に示すように、前記当接部２３が前記ストッパー片１１の後部１６を素材の弾性に抗して押圧する時には係合部２５が前記ストッパー片１１の係止部１５に係止された球体ａと次の球体ａ１の間に突出して次の球体ａ１の排出口６側への移動を阻止する。また、ストッパー片１１の係止部１５を突出位置から非突出位置に移動させ、係止部１５に係止されていた球体ａを排出口６側へ移動させることができる。
【００１６】
球体排出具１は、図３に示すように、初期状態において、収容本体２の内部に収容された球体ａが排出口６に向かって連続して案内路７に案内されるが、ストッパー片１１の係止部１５が後部１６の素材の弾性により案内路７の突出位置に突出しており、連続する球体ａの先頭の球体ａがストッパー片１１の係止部１５によって排出口６側への移動が阻止されている。また、操作片２１の係合部２５が案内路７の非突出位置にあり、先頭の球体ａと連続する次の球体ａ１が同時に移動可能となっている。
【００１７】
図５に示すように、操作片２１を操作すると、当接部２３が素材の弾性に抗してストッパー片１１の後部１６を押圧する。後部１６が押圧されると、係止部１５が非突出位置に移動して、係止部１５に係止されていた先頭の球体ａが排出口６側へ移動可能となる。又、操作片２１を操作すると、係合部２５が前記ストッパー片１１の係止部１５に係止された先頭の球体ａと次の球体ａ１の間に突出して次の球体ａ１の排出口６側への移動を阻止する。従って、先頭の一つの球体ａのみが排出される。
【００１８】
図３に示すように、操作片２１の操作を解除すると、当接部２３がストッパー片１１の後部１６を押圧しなくなるので、後部１６の素材の弾性により、ストッパー片１１の係止部１５が案内路７の突出位置に突出し、排出された球体ａの次の球体ａ１をストッパー片１１の係止部１５が係止して排出口６側への移動を阻止する。また、後部１６の素材の弾性により、当接部２３を介して係合部２５が案内路７の非突出位置に移動し、係止部１５に係止された球体ａと連続する次の球体ａ１が同時に移動可能となる。このように、操作片２１の操作を解除すると、球体排出具１は、初期状態に戻る。球体排出具１は、この球体排出具１の球体排出動作がストッパー片１１と操作片２１によって可能なので、部品点数が少なく、構造が簡単で組み立て易く、制作費用が安い。
【００１９】
また、球体排出具１は、図２，３に示すように、収容本体２の一側には、球体ａを外部から内部に挿入可能な開口２６が形成されている。開口２６には、球体ａの収容本体２内部から外部への通過を阻止する逆止爪（逆止片）２７，２８が形成されている。球体排出具１は、収容本体２内の球体ａが開口２６から外部に飛び出る恐れが少ない一方、開口２６から球体ａを簡単に収容本体２内に取り込むことができる。
【００２０】
図１に示すように、球体排出装置８０は、前記球体排出具１と、球体ａを貯留するカセットケース５１を有している。図２，３に示すように、球体排出具１は、第１の連結部３１と、第１の連結部３１に形成され、球体ａを外部から内部に収容する収容口３５と、球体ａの収容口３５の通過を阻止する第１の阻止片４１と、第１の阻止解除部３２ｂ，３３ｂが形成されている。球体排出具１は、第１の阻止片４１により、収容口３５を介して球体ａを外部から内部及び内部から外部に通過させることができない。
【００２１】
図６，７に示すように、カセットケース５１は、球体排出具１の第１の連結部３１に連結される第２の連結部５５と、第２の連結部５５に形成され、球体ａを内部から外部に供給する供給口５９と、球体ａの供給口５９の通過を阻止する第２の阻止片６１と、第２の阻止解除部５６ｂ，５７ｂが形成されている。カセットケース５１は、第２の阻止片６１により、供給口５９を介して球体ａを外部から内部及び内部から外部に通過させることができない。
【００２２】
図１に示すように、球体排出装置８０は、球体排出具１をカセットケース５１に接続すると、球体排出具１の第１の連結部３１とカセットケース５１の第２の連結部５５が連結し、球体排出具１の収容口３５とカセットケース５１の供給口５９が接続される。球体排出具１の第１の阻止解除部３２ｂ，３３ｂがカセットケース５１の第２の阻止片６１を解除してカセットケース５１の供給口５９の球体ａの通過を可能とする。カセットケース５１の第２の阻止解除部５６ｂ，５７ｂが球体排出具１の第１の阻止片４１を解除して球体排出具１の収容口３５の球体ａの通過を可能とする。従って球体排出装置８０は、球体排出具１とカセットケース５１を連結すると、カセットケース５１内の多数の球体ａを供給口５９及び収容口３５を介して球体排出具１内に簡単に供給することができ、一つ一つ球体ａを球体排出具１内に入れる手間を省くことができ、しかも球体ａが外にこぼれ出ることがないので収容作業が極めて容易である。
【００２３】
さらに、球体排出具１について詳細に説明する。図２，３に示すように、球体排出具１は、小球体ａを内部に収容する収容本体２を有する。収容本体２は、合成樹脂により形成された右ケース３と左ケース５が接合され、ネジ、接着剤等の固定手段により固定されて細長い筆記具状に構成されている。収容本体２は、内部に収容したビーズ等の小球体ａを外部に排出する排出口６が前端に形成されている。また、収容本体２内には、小球体ａを排出口６に案内する案内路７が形成されている。
【００２４】
図１０にも示すように、案内路７は、略Ｌ字状のガイド片９によって、収容本体２内が仕切られ、ガイド片９の下部と右ケース３と左ケース５によって形成されている。ガイド片９の前端と排出口６の間には、隙間Ｓが形成され、当該隙間Ｓにストッパー片１１の前部１３が配置されている。図４（ｂ），１３に示すように、ストッパー片１１は、合成樹脂によって板状に形成され、中間部に支軸１２が設けられている。支軸１２は、収容本体２の右ケース３と左ケース５に枢支されている。
【００２５】
ストッパー片１１は、支軸１２より前部１３がガイド片９の前端と排出口６の間の隙間Ｓに配置され、この前部１３が案内路７の一部を構成している。この前部１３には、小球体ａを係止する係止突起１５が形成されている。ストッパー片１１は、支軸１２より後部１６がガイド片９の上面側に配置されている。ストッパー片１１の後部１６は、湾曲しており、後端１６ａがガイド片９の上面に当接し、前記係止突起１５を突出位置方向に付勢する弾性部を構成している。後部１６の略中間部にガイド軸１９が形成され、ガイド軸１９が、収容本体２の右ケース３と左ケース５に形成されたガイド孔８に案内され、後部１６の動きを規制している。ストッパー片１１は、図３に示すように、案内路７に設けられ、後部１６の素材の弾性により係止突起１５が案内路７に突出して小球体ａの排出口６側への移動を阻止する。
【００２６】
図３に示すように、前記ストッパー片１１の上部には、操作片２１が設けられている。図４（ａ），１２に示すように、操作片２１はストッパー片１１と略同様に合成樹脂によって板状に形成され、後部に支軸２２が設けられている。支軸２２は、収容本体２の右ケース３と左ケース５に枢支されている。前記操作片２１は、前記ストッパー片１１の後部１６上面に当接可能な略矩形状の当接部２３が下面に設けられている。また、操作片２１は、上面に操作突起２４が設けられ、操作突起２４は、収容本体２の上部開口４から外部に突出している。また操作片２１の前部には、前記ストッパー片１１の係止突起１５に係止された小球体ａと次の小球体ａ１の間に突出する係合突起２５が設けられている。前記ストッパー片１１の前部１３には、開口１４が形成され、前記係合突起２５は、開口１４から突出し、次の小球体ａ１の前方への移動を阻止する。
【００２７】
前記操作片２１は、図３に示すように、前記当接部２３が前記ストッパー片１１の後部１６を押圧していない時には係合突起２５が案内路７外の非突出位置にあり、操作突起２４が収容本体２の上部開口４から突出している。図５に示すように、操作片２１は、操作突起２４を押し込むと、支軸２２を中心として下方に回動し、前記当接部２３が前記ストッパー片１１の後部１６を素材の弾性に抗して押圧する。この当接部２３の押圧時に係合突起２５は、案内路７内へ突出し、前記ストッパー片１１の係止突起１５に係止された小球体ａと次の小球体ａ１の間に突出して次の小球体ａ１の排出口６側への移動を阻止する。
【００２８】
また、操作片２１は、前記当接部２３が前記ストッパー片１１の後部１６を素材の弾性に抗して押圧すると、ストッパー片１１の前部１３が支軸１２を中心に上方に回動し、ストッパー片１１の係止突起１５を突出位置から非突出位置に移動させ、係止突起１５に係止されていた小球体ａの排出口６側への移動を可能にする。ストッパー片１１は、ガイド軸１９が右ケース３と左ケース５のガイド孔８に案内され、押圧時の動きが規制される。
【００２９】
収容本体２の下部一側には、小球体ａを外部から内部に挿入可能な開口２６が形成されている。開口２６の周縁には、右ケース３及び左ケース５の一部が切り欠かれて、小球体ａの収容本体２内部から外部への通過を阻止する一対の逆止爪（逆止片）２７，２８が形成されている。従って、収容本体２は、開口２６を介して小球体ａを内部に取り込むことができる一方、内部に収容された小球体ａを開口２６から飛び出ないように一対の係止爪２７，２８が阻止する構成となっている。
【００３０】
前記球体排出具１は、図２に示すように、後部が第１の連結部３１を形成している。第１の連結部３１は、左壁３２と右壁３３と上壁３４によって略コ字状に形成されている。左壁３２と右壁３３は、連結孔３２ａ，３３ａが設けられ、下部には後方に向かって上昇する傾斜縁３２ｂ，３３ｂが形成されている（図１０，１１参照）。傾斜縁３２ｂ，３３ｂが後述する第１の阻止解除部３２ｂ，３３ｂを構成する。第１の連結部３１内であって、収容本体２の後部には、小球体ａを収容本体２の外部から内部に収容する収容口３５が形成されている。
【００３１】
また、第１の連結部３１内であって、収容本体２の後部には、図３に示すように、小球体ａの収容口３５の通過を阻止する第１の阻止片４１が設けられている。図４（ｃ），１４に示すように、第１の阻止片４１は、アーム板４２と、アーム板４２の先端に一体成形された閉塞板４３と、閉塞板４３の上部両端に設けられた係合軸４４と、アーム板４２の後端に一体成形された支軸４５とからなる。
【００３２】
第１の阻止片４１は、支軸４５が収容本体２の右ケース３と左ケース５に取り付けられている。アーム板４２は、下面が収容本体２内に設けられたガイド壁３６に接触し、上面が収容本体２内に設けられたガイド軸３７に当接して、前記閉塞板４３が収容口３５を塞ぐ。アーム板４２は、ガイド軸３７を支点として後部が上方に撓むようになっており、撓むと閉塞板４３が収容口３５を開放する。
【００３３】
図６，１５，１６に示すように、前記球体排出具１内に小球体ａを供給するカセットケース５１は、右ケース枠５２と左蓋枠５３とからなり、右ケース枠５２と左蓋枠５３がネジ等の固定手段により固定されて矩形箱状に形成されている。カセットケース５１は、透過性を有する合成樹脂素材によって形成されることが望ましく、内部の小球体ａを確認することができる。カセットケース５１の一側、例えば長手方向前端に前記球体排出具１の第１の連結部３１を差し込んで連結することができる凹部状の第２の連結部５５が形成されている。
【００３４】
第２の連結部５５は、左壁５６と、右壁５７と、上壁５８と、奥壁６０によって凹部状に形成されている。左壁５６と右壁５７には、球体排出具１の第１の連結部３１の左壁３２と右壁３３に設けられた連結孔３２ａ，３３ａに係合する連結凸起が形成されている。奥壁６０には、前方に向かって下降する傾斜縁５６ｂ，５７ｂが形成されている。傾斜縁５６ｂ，５７ｂが後述する第２の阻止解除部を構成する。第２の連結部５５内であって、奥壁６０には、小球体ａを内部から外部に供給する供給口５９が形成されている。
【００３５】
また、第２の連結部５５内であって、カセットケース５１の前部には、小球体ａの供給口５９の通過を阻止する第２の阻止片６１が設けられている。図４（ｃ）に示すように、第２の阻止片６１は、アーム板６２と、アーム板６２の先端に一体成形された閉塞板６３と、閉塞板６３の上部両端に設けられた係合軸６４と、アーム板６２の後端に一体成形された支軸６５とからなる。
【００３６】
第２の阻止片６１は、図７に示すように、支軸６５がカセットケース５１の右ケース枠５２と左蓋枠５３に取り付けられている。アーム板６２は、下面がカセットケース５１内に設けられたガイド板６７に接触して保持され、前記閉塞板６３が供給口５９を塞ぐ。アーム板６２は、ガイド板６７を支点として前部が下方に撓むようになっており、撓むと閉塞板６３が供給口５９を開放する。
【００３７】
図６に示すように、カセットケース５１の右ケース枠５２の後部一側には、小球体ａを外部から内部に挿入可能な開口７２が形成されている。また、左蓋枠５３には、一部が切り欠かれて、小球体ａが開口７２を介してカセットケース５１の内部から外部への通過を阻止する逆止爪（逆止片）７３が形成されている。
【００３８】
球体排出具１とカセットケース５１は、第１の連結部３１を第２の連結部５５に差し込むと、第１の連結部３１の連結孔３２ａ，３３ａに第２の連結部５５の連結凸起が係合して連結を行う。球体排出具１の収容口３５とカセットケース５１の供給口５９が接続される。球体排出具１の傾斜縁（第１の阻止解除部）３２ｂ，３３ｂがカセットケース５１の第２の阻止片６１の係合軸６４に係合して閉塞板６３をアーム板６２の弾性に抗して押し下げ（第２の阻止片６１を解除して）、カセットケース５１の供給口５９の小球体ａの通過を可能としている。カセットケース５１の傾斜縁（第２の阻止解除部）５６ｂ，５７ｂが球体排出具１の第１の阻止片４１の係合軸４４に係合して閉塞板４３をアーム板４２の弾性に抗して押し上げ（第１の阻止片４１を解除して）、球体排出具１の収容口３５の小球体ａの通過を可能としている。従って、カセットケース５１内の小球体ａを球体排出具１内に供給することができる。この球体排出具１とカセットケース５１によって、球体排出装置８０を構成する。
【００３９】
球体排出装置８０は、上記構成を有し、以下のように使用することができる。カセットケース５１は、図６に示すように、開口７２から小球体ａを補充することができる。カセットケース５１内に補充された小球体ａは、逆止爪（逆止片）７３の存在により、開口７２から外に飛び出ることがない。同様に、第２の阻止片６１の存在により、供給口５９から外に飛び出ることがない。
【００４０】
カセットケース５１の第２の連結部５５に球体排出具１の第１の連結部３１を差し込むと、第２の連結部５５の連結凸起に第１の連結部３１の連結孔３２ａ，３３ａが係合して連結される。球体排出具１の収容口３５とカセットケース５１の供給口５９が接続される。球体排出具１の傾斜縁（第１の阻止解除部）３２ｂ，３３ｂがカセットケース５１の第２の阻止片６１の係合軸６４に係合して閉塞板６３をアーム板６２の弾性に抗して押し下げ（第２の阻止片６１を解除して）、カセットケース５１の供給口５９の小球体ａの通過を可能とする。カセットケース５１の傾斜縁（第２の阻止解除部）５６ｂ，５７ｂが球体排出具１の第１の阻止片４１の係合軸４４に係合して閉塞板４３をアーム板４２の弾性に抗して押し上げ（第１の阻止片４１を解除して）、球体排出具１の収容口３５の小球体ａの通過を可能とする。球体排出具１を下にし、カセットケース５１を上にすることにより、カセットケース５１内の小球体ａが、供給口５９、収容口３５を経由して球体排出具１内移動し、カセットケース５１内の小球体ａを球体排出具１内に供給することができる。
【００４１】
カセットケース５１から球体排出具１を離脱する。球体排出具１は、図３に示すように、開口２６からも小球体ａを補充することができる。球体排出具１内に補充された小球体ａは、逆止爪（逆止片）２７，２８の存在により、開口２６から外に飛び出ることがない。また第１の阻止片４１の存在により、収容口３５から外に飛び出ることがない。さらに、ストッパー片１１の係止突起１５により、排出口６から外に飛び出ることがない。
【００４２】
球体排出具１は、排出口６を下に向けて筆記具のように把持し、操作突起２４を押圧する。図５に示すように、操作突起２４を押し込むと、操作片２１が支軸２２を中心として下方に回動し、当接部２３がストッパー片１１の後部１６を素材の弾性に抗して押圧する。操作片２１の係合突起２５は、案内路７内へ突出し、ストッパー片１１の係止突起１５に係止された小球体ａと次の小球体ａ１の間に突出して次の小球体ａ１の排出口６側への移動を阻止する。当接部２３によってストッパー片１１の後部１６が押圧されると、ストッパー片１１の前部１３が支軸１２を中心に上方に回動し、ストッパー片１１の係止突起１５を突出位置から非突出位置に移動して、係止突起１５に係止されていた小球体ａが自重により排出口６から落下する。このように、球体排出具１は、操作突起２４の押圧操作により一つずつ小球体ａを排出することができる。
【００４３】
球体排出具１は、操作突起２４を解放すると、当接部２３がストッパー片１１の後部１６を押圧しなくなるので、後部１６が素材の弾性により湾曲した元の状態に復帰する。後部１６が元の状態に復帰するので、ストッパー片１１の前部１３が支軸１２を中心に下方に回動し、ストッパー片１１の係止突起１５が非突出位置から突出位置に移動して小球体ａを係止する。後部１６が元の状態に復帰するので、当接部２３が押し上げられ、操作片２１が支軸２２を中心として上方に回動し、操作片２１の係合突起２５が案内路７外の非突出位置へ移動し、小球体ａの移動を阻止しなくなる。このように、球体排出具１は、操作突起２４を解放すると、元の初期状態に戻る。
【産業上の利用可能性】
【００４４】
本願発明は、ビーズを一つずつ取り出して遊ぶビーズ玩具に利用可能である。
【符号の説明】
【００４５】
ａ  球体
ａ１  次の球体
Ｓ  隙間
１  球体排出具
２  収容本体
３  右ケース
４  上部開口
５  左ケース
６  排出口
７  案内路
８  ガイド孔
９  ガイド片
１１  ストッパー片
１２  支軸
１３  前部
１４  開口
１５  係止突起（係止部）
１６  後部
１６ａ  後端
１９  ガイド軸
２１  操作片
２２  支軸
２３  当接部
２４  操作突起
２５  係合突起（係合部）
２６  開口
２７  逆止爪（逆止片）
２８  逆止爪（逆止片）
３１  第１の連結部
３２  左壁
３２ａ  連結孔
３２ｂ  傾斜縁（第１の阻止解除部）
３３  右壁
３３ａ  連結孔
３３ｂ  傾斜縁（第１の阻止解除部）
３４  上壁
３５  収容口
３６  ガイド壁
３７  ガイド軸
４１  第１の阻止片
４２  アーム板
４３  閉塞板
４４  係合軸
４５  支軸
５１  カセットケース
５２  右ケース枠
５３  左蓋枠
５５  第２の連結部
５６  左壁
５６ｂ  傾斜縁（第２の阻止解除部）
５７  右壁
５７ｂ  傾斜縁（第２の阻止解除部）
５８  上壁
５９  供給口
６０  奥壁
６１  第２の阻止片
６２  アーム板
６３  閉塞板
６４  係合軸
６５  支軸
６７  ガイド板
７２  開口
７３  逆止爪（逆止片）
８０  球体排出装置
【図１】
2015167565.tif 000003
【図２】
2015167565.tif 000004
【図３】
2015167565.tif 000005
【図４】
2015167565.tif 000006
【図５】
2015167565.tif 000007
【図６】
2015167565.tif 000008
【図７】
2015167565.tif 000009
【図８】
2015167565.tif 000010
【図９】
2015167565.tif 000011
【図１０】
2015167565.tif 000012
【図１１】
2015167565.tif 000013
【図１２】
2015167565.tif 000014
【図１３】
2015167565.tif 000015
【図１４】
2015167565.tif 000016
【図１５】
2015167565.tif 000017
【図１６】
2015167565.tif 000018